(57)【特許請求の範囲】
【請求項１】
観察者によって反射された光を集光するためのレンズと、このレンズにて集光された光を受けた位置に応じた信号を出力する受光手段とから成るセンサー手段を二つ備えるとともに、これら二つのセンサー手段における各受光手段からの二つの出力信号に基づいて観察者の位置を判断する判断手段を備え、
一方のセンサー手段は画面の右隅に配置され、他方のセンサー手段は画面の左隅に配置され、且つ、各センサー手段は、前記レンズのレンズ中心が最も画面端の画素に合致するように配置されていることを特徴とする観察者頭部位置検出装置。
【請求項２】
前記受光手段は、光を受けた位置に応じた光電流を発生する半導体位置検出器から成ることを特徴とする請求項１に記載の観察者頭部位置検出装置。
【請求項３】
前記受光手段は、受光素子を複数個一列に水平方向に配列した受光素子アレイから成ることを特徴とする請求項１に記載の観察者頭部位置検出装置。
【請求項４】
前記受光手段は、受光素子を複数個一列に水平方向に配列した受光素子アレイから成り、Ｎ（Ｎは２以上の整数）個ずつの受光素子から成るブロックに分割して各ブロックを正視領域及び逆視領域に対応させたことを特徴とする請求項１に記載の観察者頭部位置検出装置。
【請求項５】
前記受光手段が検出するのに適した波長の光を出射する発光手段を備えたことを特徴とする請求項１乃至請求項４のいずれかに記載の観察者頭部位置検出装置。
【請求項６】
前記発光手段は、前記センサー手段にて観察者の位置を検出せんとする領域において水平方向に略均一となる光を出射するように構成されていることを特徴とする請求項５に記載の観察者頭部位置検出装置。
【請求項７】
前記受光手段が検出するのに適した波長の光を出射する発光手段を所定の正視領域及び逆視領域の数だけ備え、各発光手段による照明領域を前記正視領域及び逆視領域に対応させるとともに、各発光手段を個別に発光させるように構成されていることを特徴とする請求項１乃至請求項４のいずれかに記載の観察者頭部位置検出装置。
【請求項８】
前記受光手段が検出するのに適した波長の光を出射する発光手段を二以上備え、各発光手段による照明領域を区分するとともに、各発光手段を個別に発光させるように構成されていることを特徴とする請求項１乃至請求項４のいずれかに記載の観察者頭部位置検出装置。
【請求項９】
一つの受光手段を備え、前記受光手段が検出するのに適した波長の光を出射する発光手段を画面の両隅にそれぞれ配置し、これら各発光手段は最も画面端の画素に合致するようにそれぞれ配置され、且つ、画面端の画素にて定まる複数の正視領域及び複数の逆視領域の各領域に少なくとも対応した照射領域を持つように構成されており、
前記二つの発光手段からの照射領域が、前記複数の正視領域又は逆視領域に個別に対応した照射領域となるよう制御する発光制御手段と、
予め、前記発光制御手段により前記各領域に対応した光照射を行い、該照射領域に観察者が位置している場合における、前記受光手段の出力パターンを記憶する記憶手段と、
前記発光制御手段により前記各領域を個別に照射した際における、前記受光手段の出力パターンと、前記記憶手段に記憶している出力パターンとに基づいて観察者の位置を判断する判断手段を備えたことを特徴とする観察者頭部位置検出装置。
【発明の詳細な説明】
【０００１】
【発明の属する技術分野】
本発明は、特殊な眼鏡を必要とせずに観察者に立体視させる場合に観察者の頭部位置を検出して立体視可能範囲を拡大させることができる観察者頭部位置検出装置に関する。
【０００２】
【従来の技術】
特殊な眼鏡を必要とせずに観察者に立体視させる立体表示装置としては、パララックスバリアを用いる方式やレンチキュラーレンズを用いる方式などが知られている。これら方式の立体映像表示装置では、右眼映像と左眼映像がそれぞれ観察者の右眼と左眼によって観察される正視領域の他に、右眼映像が左眼に左眼映像が右眼に導かれてしまう逆視領域、或いは両画面が一つの眼に観察されてしまうクロストーク領域が存在する。
【０００３】
そこで、観察者の頭部位置に応じて左右眼の表示映像の切換制御等を行うことにより、立体視可能範囲を拡大させることが考えられる。そして、観察者の頭部位置を検出するための装置としては、観察者が磁気を発するものを装着し、磁気センサーによって前記磁気の発生位置を捉えることで観察者の位置を検出する装置が考えられる。
【０００４】
【発明が解決しようとする課題】
しかしながら、上記磁気センサーを用いて観察者の位置を検出するのでは、装置が大がかりになるとともに、コストも割高になってしまう。
【０００５】
この発明は、上記の事情に鑑み、簡潔な構成で観察者の位置を検出することができる観察者頭部位置検出装置を提供することを目的とする。
【０００６】
【課題を解決するための手段】
この発明の観察者頭部位置検出装置は、上記の課題を解決するために、観察者によって反射された光を集光するためのレンズと、このレンズにて集光された光を受けた位置に応じた信号を出力する受光手段とから成るセンサー手段を二つ備えるとともに、これら二つのセンサー手段における各受光手段からの二つの出力信号に基づいて観察者の位置を判断する判断手段を備え、一方のセンサー手段は画面の右隅に配置され、他方のセンサー手段は画面の左隅に配置され、且つ、各センサー手段は、前記レンズのレンズ中心が最も画面端の画素に合致するように配置されていることを特徴とする。
【０００７】
ここで、前記センサー手段が一つである場合、当該センサー手段の位置からみて所定の方向に観察者が存在しているということしか判断できず、正視領域に観察者が位置しているとの検出結果が得られたとしても、それは正視領域が存在する方向上のどこかに観察者が位置しているということにしかならず、画面から適視距離の位置に観察者が存在しているとは限らないことになる。センサー手段を二つ備えた構成であれば、二つの方向の交わり領域に観察者が存在しているということが判断でき、観察者の位置検出が正確に行える。
【０００８】
また、二つのセンサー手段は、一方のセンサー手段が画面の右隅に配置され、他方のセンサー手段が画面の左隅に配置され、且つ、各センサー手段は、前記レンズのレンズ中心が最も画面端の画素に合致するように配置されているので、二つのセンサー手段による二つの方向の交わり領域は、観察者の正視状態又は逆視状態となる菱形領域に正確に対応したものとなり、観察者の頭部が正視領域に位置しているのか逆視領域に位置しているのかを簡単且つ正確に検出することができる。
【０００９】
前記の受光手段は、光を受けた位置に応じた光電流を発生する半導体位置検出器から成っていてもよい。また、前記の受光手段は、受光素子を複数個一列に水平方向に配列した受光素子アレイから成っていてもよい。
【００１０】
また、前記の受光手段は、受光素子を複数個一列に水平方向に配列した受光素子アレイから成り、Ｎ（Ｎは２以上の整数）個ずつの受光素子から成るブロックに分割して各ブロックを正視領域及び逆視領域に対応させたものでもよい。かかる構成であれば、既存の受光素子アレイを活用できるとともに、機種に応じて異なる正視領域及び逆視領域に対して、前記Ｎを変更することで容易に対応することが可能になる。
【００１１】
前記の受光手段が検出するのに適した波長の光を出射する発光手段を備えていてもよい。また、前記の発光手段は、前記センサー手段にて観察者の位置を検出せんとする領域において水平方向に略均一となる光を出射するように構成されていてもよい。
【００１２】
また、前記の受光手段が検出するのに適した波長の光を出射する発光手段を所定の正視領域及び逆視領域の数だけ備え、各発光手段による照明領域を前記正視領域及び逆視領域に対応させるとともに、各発光手段を個別に発光させるように構成されていてもよい。ここで、観察者が複数人である場合、受光手段の出力が複数人の観察者のそれぞれの位置を正確に表したものとならない場合があり得るが、前記発光手段によって前記正視領域及び逆視領域を個別に照射して各々の照射時での受光手段の出力をみることで、たとえ観察者が複数人であっても第１の観察者は正視領域に位置し、第２の観察者は逆視領域に位置するといったことを正確に検出することができる。
【００１３】
また、前記の受光手段が検出するのに適した波長の光を出射する発光手段を二以上備え、各発光手段による照明領域を区分するとともに、各発光手段を個別に発光させるように構成されていてもよい。かかる構成であっても、複数人の観察の正確な検出に対応することができる。ここで、照明領域と正視領域及び逆視領域とが必ずしも一致しないことになるが、観察者の位置と各々の照明時での受光素子の出力パターンとを予め把握しておくことで、実際の使用時において観察者の位置を正確に検出することが可能である。
【００１４】
また、この発明の観察者頭部位置検出装置は、一つの受光手段を備え、前記受光手段が検出するのに適した波長の光を出射する発光手段を画面の両隅にそれぞれ配置し、これら各発光手段は最も画面端の画素に合致するようにそれぞれ配置され、且つ、画面端の画素にて定まる複数の正視領域及び複数の逆視領域の各領域に少なくとも対応した照射領域を持つように構成されており、前記二つの発光手段からの照射領域が、前記複数の正視領域又は逆視領域に個別に対応した照射領域となるよう制御する発光制御手段と、予め、前記発光制御手段により前記各領域に対応した光照射を行い、該照射領域に観察者が位置している場合における、前記受光手段の出力パターンを記憶する記憶手段と、前記発光制御手段により前記各領域を個別に照射した際における、前記受光手段の出力パターンと、前記記憶手段に記憶している出力パターンとに基づいて観察者の位置を判断する判断手段を備えたことを特徴とする。
【００１５】
上記の構成であれば、観察者が複数人であっても各観察者が正視領域に位置しているのか逆視領域に位置しているのかを正確に検出することができる。また、受光手段は一つでよいので、低コスト化が図れる。
【００１６】
【発明の実施の形態】
以下、この発明の実施の形態を図に基づいて説明する。図１は、この実施の形態の観察者頭部位置検出装置を備えた立体映像表示装置の概略構成を示した説明図である。この立体映像表示装置は、平面状のバックライト１と、前記バックライト１の光出射側に配置された液晶映像表示パネル２と、この液晶映像表示パネル２の映像光出射側に配置され、縦ストライプ状の所定幅の透光部と遮光部を交互に備えたパララックスバリア３と、前記液晶映像表示パネル２に、右眼用映像（Ｒ）と左眼用映像（Ｌ）を水平方向に１画素ごとに交互に表示させるべく映像信号を処理して供給する映像信号供給部４とを備えて構成されている。
【００１７】
観察者頭部位置検出装置は、前記液晶映像表示パネル２により構成される画面の両隅（最も両端の画素対応部分）に配置された一対の受光センサー部５，５と、観察者１０に向けてセンサー光を照射するセンサー光照射手段６と、これら二つの受光センサー部５，５からの二つの出力信号に基づいて観察者１０の位置を判断する判断手段とを備えてなる。なお、この判断手段は、後述する映像切換制御部７に設けられる。
【００１８】
前記の受光センサー部５は、観察者１０の顔部分にて反射されたセンサー光を集光するレンズ５ａと、このレンズ５ａにて集光された光を受光する半導体位置検出器（ＰＳＤ：Position Sensitive Device ）５ｂとから成る。レンズ５ａは、そのレンズ中心が最も画面端の画素に合致するように配置される。なお、図１においては、各要素が重なり合って見にくくなるのを防止するため、作図上、レンズ５ａの位置を幾分ずらしている。更に、図１では、最も画面端の画素と中央の正視領域III の略中心とを結ぶ線に光軸が合致するようにレンズ５ａを配置した場合を示している。
【００１９】
半導体位置検出器５ｂは、シリコンフォトダイオードを応用した位置検出センサであり、ＣＣＤラインセンサー等と異なり、非分割の構造になっていることから、検出対象の位置に応じた連続した電気信号が得られるようになっている。具体的には、この半導体位置検出器５ｂは、平板状シリコン基板の表面側に形成されたＰ層、裏面に形成されたＮ- 層、これらの中間に形成されたｉ層の３層構造を有しており、Ｐ層側から入射した光を光電変換し、照射強度に比例した光電流をＰ層上に設けられた二つの電極から分割出力する構造を有している。
【００２０】
そして、この実施の形態では、観察者１０が図１の三角領域Ａ2 に位置しているときには、半導体位置検出器５ｂ，５ｂのａ2 ，ａ2 領域内に観察者１０の顔にて反射された光が入射し、三角領域Ｂ1 に位置しているときには、半導体位置検出器５ｂ，５ｂのｂ1 ，ｂ1 領域内に光が入射し、三角領域Ａ1 に位置しているときには、半導体位置検出器５ｂ，５ｂのａ1 ，ａ1 領域内に光が入射し、三角領域Ｂ2 に位置しているときには、半導体位置検出器５ｂ，５ｂのｂ2 ，ｂ2 領域に光が入射し、三角領域Ａ3 に位置しているときには、半導体位置検出器５ｂ，５ｂのａ3 ，ａ3 領域内に光が入射するように構成されている。
【００２１】
前記のセンサー光照射手段６は、その長手方向を水平方向にして配置された冷陰極線管６ｂと、この冷陰極線管６ｂの光を観察者側へ反射する反射板６ｃと、冷陰極線管６ｂからの光を観察者１０側へ導くシリンドリカルレンズ６ａとから成り、前記受光センサー部５，５にて観察者１０の位置を検出せんとする領域において水平方向に略均一となる光を出射する。そして、かかるセンサー光照射手段６は、前記液晶映像表示パネル２により構成される画面の上側或いは下側に配置されている。なお、前記受光センサー部５，５にて観察者１０の位置を検出せんとする領域において水平方向に略均一となる光を出射できないセンサー光照射手段を用いる場合は、前述した受光センサー部５（或いはこれに代わる後述の受光センサー部）の出力に対して、不均一に対する補正を施しておくようにしてもよい。
【００２２】
前記の半導体位置検出器５ｂ，５ｂの出力は、映像切換制御部７に供給されるようになっている。映像切換制御部７は、半導体位置検出器５ｂ，５ｂの両出力に基づいて観察者１０の位置を判断し、観察者１０が逆視位置に居ると判断したときには、前記映像信号供給部４に対して切換信号を出力する。この切換信号を入力した映像信号供給部４は、図１において右眼映像（Ｒ）を表示していた画素に左眼映像（Ｌ）を表示させ、左眼映像（Ｌ）を表示していた画素に右眼映像（Ｒ）を表示させることになる。
【００２３】
上記の構成であれば、観察者１０の頭部位置を正確に検出し、この頭部位置に追従して立体表示制御を行うことが可能になる。即ち、一つの受光センサー部５のみで検出する場合には、当該受光センサー部５の位置からみて所定の方向に観察者１０が存在しているということしか判断できず、正視領域に観察者１０が位置しているとの検出結果が得られたとしても、それは正視領域が存在する方向上のどこかに観察者１０が位置しているということにしかならず、画面から適視距離の位置に観察者１０が存在しているとは限らないことになる。一方、二つの受光センサー部５，５を備え構成であれば、二つの方向の交わり領域に観察者１０が存在しているということが判断でき、観察者の位置検出が正確に行える。例えば、観察者１０が中央の菱形領域（正視領域）III に位置している場合には、受光センサー部５，５によるセンサー結果は共に領域Ａ1 となり、観察者１０が正視領域III に位置していることを検出できる。
【００２４】
特に、この実施の形態では、二つの受光センサー部５，５を画面の両隅に配置しているので、二つの受光センサー部５，５による二つの方向の交わり領域は、観察者１０の正視状態又は逆視状態となる菱形領域に正確に対応したものとなり、観察者の頭部が正視領域に位置しているのか逆視領域に位置しているのかを簡単且つ正確に検出することができる。即ち、画面端よりも内側或いは外側に二つの受光センサー部５，５を配置した場合、これら受光センサー部５，５の二つの方向の交わり領域が、観察者１０の正視状態又は逆視状態となる菱形に一致しない菱形を形成してしまうことになり、このようなずれを生じている状態で受光センサー部５，５の半導体位置検出器５ｂ，５ｂにおける領域ａ3 ，ｂ2 ，ａ1 ，ｂ1 ，ａ2 への受光に基づいて位置判断を行った場合には、観察者１０が正しい菱形領域からずれている位置に居るにもかかわらず観察者１０が正視領域又は逆視領域となる菱形領域に居るという検出結果を出力してしまうことになる。これに対し、二つの受光センサー部５，５を画面の両隅に配置した本構成であれば、このような不具合は生じないことになる。
【００２５】
なお、上記の例では、センサー光照射手段６として冷陰極線管６ｂを用いたものを示したが、図２に示すように、複数の発光素子（例えば赤外線発光ダイオード）１１ａを横方向に並べて設けるとともに、これら発光素子１１ａからの光を拡散板１１ｂにて拡散し、この拡散光をシリンドリカルレンズ１１ｃによって、前記観察者１０の位置を検出せんとする領域において水平方向に略均一となるように光を出射するようにしてもよい。
【００２６】
また、受光センサー部５として半導体位置検出器（ＰＳＤ）５ｂを用いたが、これ以外の構成も考えられる。以下に、その構成の幾つかを説明する。
【００２７】
図３（ａ）（ｂ）に示しているように、フォトダイオードアレイ１２を用いることが考えられる。このフォトダイオードアレイ１２は、全部で５×Ｎ個のフォトダイオードから成り、Ｎ個ずつのフォトダイオードで５つのブロック（Ｉ，II，III ，IV  ，V ）を構成している。上記の５つのブロックは、図１で示した５つの三角領域Ａ3 ，Ｂ2 ，Ａ1 ，Ｂ1 ，Ａ2 に対応している。そして、個々のフォトダイオードの出力の比較ではなく、ブロック間で出力を比較する。例えば、画面左側に配置されているフォトダイオードアレイ１２において、領域Ａ1 に対応するブロックIII の出力が最も大きく、画面右側に配置されている図示しないフォトダイオードアレイにおいても、領域Ａ1 に対応するブロックIII の出力が最も大きければ、観察者は中央の菱形領域（正視領域）III に位置していることになる。
【００２８】
このような構成は、既存のフォトダイオードアレイ１２をそのまま用いることを可能にするとともに、機種に応じてＮ−１個、Ｎ−２個、或いはＮ＋１個を一つブロックとするような変更を行って、各機種に特有の三角（扇）領域に簡単に対応することが可能になる。
【００２９】
図４に示しているように、フォトダイオードアレイ１３を用いることが考えられる。このフォトダイオードアレイ１３は、ｎ個のフォトダイオードを備えて構成されるが、前述したようなブロック分けはしていない。フォトダイオードの個々の出力を考慮することにより、例えば、どのフォトダイオードの出力が最も高いかを検出することにより、正視領域及び逆視領域を成す各菱形領域内で更に細かい範囲、例えばクロストーク領域についても観察者の位置を判定することが可能となる。また、どのフォトダイオードの出力が最も高いかではなく、或る閾値よりも高い出力の場合にＨｉｇｈ、それより低い出力の場合にＬｏｗとして幅を持たせた上でその中心を判断し、この中心から位置検出を行うようにしてもよい。例えば、図５に示すように、２０番目から５０番目のフォトダイオードの出力がＨｉｇｈであるとされた場合は、（５０＋２０）÷２＝３５という計算結果により、３５番目のフォトダイオードに対応する方向に観察者が位置しているということを検出できる。
【００３０】
（実施の形態２）
次に、この発明の第２の実施の形態を図に基づいて説明する。この実施の形態におけるセンサー光照射構造は、図６に示すように、液晶映像表示パネル２により構成される画面の両隅（最も両端の画素対応部分）に配置された一対のセンサー光照射手段１５，１５から成る。センサー光照射手段１５は、レンズ１５ａと５つの個別光照射部（発光ダイオード）ａ3 ，ｂ2 ，ａ1 ，ｂ1 ，ａ2 を備えた照射部１５ａとから成る。即ち、前述の実施の形態１においては、冷陰極線管等を用いて観察者１０の位置を検出せんとする領域の全体に光を照射するようにしたが、この実施の形態２においては、個別光照射部ａ3 ，ｂ2 ，ａ1 ，ｂ1 ，ａ2 が前記レンズ１５ａを介して三角領域Ａ3 ，Ｂ2 ，Ａ1 ，Ｂ1 ，Ａ2 のいずれかの範囲にセンサー光を照射するように構成した。これにより、一対のセンサー光照射手段１５，１５による照明重なり領域（菱形領域）は、観察者１０の正視状態又は逆視状態となる菱形領域に正確に対応したものとなる。観察者１０の顔部にて反射されたセンサー光を受光する部分は、例えば、画面の上部等に配置した単一の受光素子１７から成っている。
【００３１】
個別光照射部ａ3 ，ｂ2 ，ａ1 ，ｂ1 ，ａ2 におけるセンサー光の照射タイミングは、発光制御部１６によって制御される。即ち、発光制御部１６は、例えば、三角領域Ａ3 に対応する個別光照射部ａ3 ，ａ3 を所定時間発光させ、次に、三角領域Ｂ2 に対応する個別光照射部ｂ2 ，ｂ2 を所定時間発光させ、次に、三角領域Ａ1 に対応する個別光照射部ａ1 ，ａ1 を所定時間発光させる、という具合に、個別光照射部を順繰りに発光させていく制御を行う。かかる発光制御によって、観察者１０の正視状態又は逆視状態となる菱形領域が一対のセンサー光照射手段１５，１５によって順次照らされていくことになる。
【００３２】
映像切換制御部７′は、個別光照射部ａ3 ，ｂ2 ，ａ1 ，ｂ1 ，ａ2 におけるセンサー光の照射タイミングに同期して受光素子１７の出力を検出し、領域Ａ3 ，Ｂ2 ，Ａ1 ，Ｂ1 ，Ａ2 に対する一巡りのセンサー光照射において、二つ分の個別光照射部の光照射量に相当する受光量が得られたか否かによって観察者の位置を判断する。例えば、二つの三角領域Ｂ2 の交わり領域である逆視領域IIに観察者１０が位置している場合には、各センサー光照射手段１５，１５の個別光照射部ｂ2 ，ｂ2 による照射時において、受光素子１７は二つ分の個別光照射部の光照射量に相当する受光量を得ることになる。一方、三角領域Ｂ2 と三角領域Ａ3 の交わり領域に観察者１０が位置している場合には、二つ分の個別光照射部の光照射量に相当する受光量を得ることができないので、このような場合には、逆視領域IIに観察者１０が位置しているといった誤った判断をなすことはない。
【００３３】
なお、上記の例では、単一の受光素子１７を用いたが、実施の形態１のごとくレンズとＰＳＤ、或いはレンズとフォトダイオードから成るセンサー光受光手段を一対用いる構成を採用してもよいものである。この場合、レンズ１５ａを無くして、センサー光受光手段のレンズをセンサー光照射とセンサー光受光の両方において用いることが可能である。ここで、前述した実施の形態１の構成では、観察者が二人存在するような場合には、ＰＳＤ出力は二つの受光を合成したような出力になるため、各々の観察者の位置を正確に検出することが困難になる場合があるが、個別光照射部ａ3 ，ｂ2 ，ａ1 ，ｂ1 ，ａ2 によって各領域を順次的に照射するようにした場合は、たとえ観察者が二人存在する場合でも、各観察者の位置を正確に検出することが可能になる。
【００３４】
（実施の形態３）
上述した実施の形態２では、センサー光照射領域を観察者１０の正視状態又は逆視状態となる菱形領域に対応させたが、この実施の形態３では、このような菱形領域とは無関係に、図７に示しているように、画面の中央の上縁部などに水平並びに設けた５つの個別光照射部（発光ダイオード）１７ａ，１７ｂ，１７ｃ，１７ｄ，１７ｅによって、所定の領域を順繰りに照らしていくようになっている。センサー光受光手段は、図示はしていないが、実施の形態１におけるレンズとＰＳＤ、或いはレンズとフォトダイオードから成るものが用いられる。
【００３５】
ここで、正視領域に観察者が位置している場合の、個別光照射部１７ａが光照射を行ったときのセンサー光受光手段におけるＰＳＤ或いはフォトダイオードの出力パターン、個別光照射部１７ｂが光照射を行ったときのセンサー光受光手段におけるＰＳＤ或いはフォトダイオードの出力パターン、逆視領域に観察者が位置している場合の、個別光照射部１７ａが光照射を行ったときのセンサー光受光手段におけるＰＳＤ或いはフォトダイオードの出力パターン、個別光照射部１７ｂが光照射を行ったときのセンサー光受光手段におけるＰＳＤ或いはフォトダイオードの出力パターン、のごとく、観察者の位置と、光照射を行う個別光照射部と、センサー光受光手段におけるＰＳＤ或いはフォトダイオードの出力パターンとの関係を予め調べておく。
【００３６】
図示しない映像切換制御部は、上記の関係情報を記憶しておく記憶部を備えるとともに、センサー光受光手段における実際（使用時）に得られるＰＳＤ或いはフォトダイオードの出力パターンが、例えば、記憶している出力パターンのどれに最も近いかを判断し、最も近いと判断した出力パターンと上記の関係情報とに基づいて観察者の位置を判断するようになっている。
【００３７】
かかる構成は、映像切換制御部内の判断手段が幾分複雑になるが、センサー光照射領域を観察者の正視状態又は逆視状態となる菱形領域に対応させる構造に比べて、センサー光照射部分の構造の簡素化が図れるという利点を有する。
【００３８】
また、以上の例においては、観察者が逆視領域に位置したときに右眼映像と左眼映像を切り換えるという制御のみを示したが、このような制御に限らず、観察者の位置に応じてアクティブバリア（パララックスバリアにおける開口部と遮光部を液晶パネル等により構成し、開口部と遮光部の位置を変化させ得るようにしたもの）を駆動する制御、或いは、観察者が適視位置から幾分画面側に移動したり画面から遠ざかったりした場合に対応する制御を行ってもよい。この場合、この発明にかかる観察者頭部位置検出装置であれば、細かな位置検出も可能であり、立体映像表示装置の立体視可能範囲拡大に大きく寄与することができる。
【００３９】
また、当該観察者頭部位置検出装置が用いられる立体映像表示装置としては、パララックスバリアを用いる構成に限らず、レンチキュラーレンズを用いる構成、更にはその他の構成を用いることができる。
【００４０】
【発明の効果】
以上説明したように、この発明によれば、磁気センサー等を用いる場合に比べて比較的簡単な構造を実現できるとともに、観察者の位置を正確に検出できるという効果を奏する。
【図面の簡単な説明】
【図１】この発明の実施の形態１の観察者頭部位置検出装置を備えた立体映像表示装置の概略構成を示した説明図である。
【図２】センサー光照射手段の他の例を示した説明図である。
【図３】受光センサー部としてフォトダイオードアレイを用いる場合の一例を示した説明図であり、同図（ａ）はフォトダイオードアレイと正視領域及び逆視領域との関係を示した説明図であり、同図（ｂ）はフォトダイオードアレイの詳細を示した説明図である。
【図４】受光センサー部としてフォトダイオードアレイを用いる場合の他の例を示した説明図である。
【図５】図４のフォトダイオードアレイを用いる場合の出力信号の一形態を示した説明図である。
【図６】この発明の実施の形態２の観察者頭部位置検出装置を備えた立体映像表示装置の概略構成を示した説明図である。
【図７】この発明の実施の形態３の観察者頭部位置検出装置におけるセンサー光照射手段の例を示した説明図である。
【符号の説明】
２    液晶映像表示パネル
３    パララックスバリア
４    映像信号供給部
５    受光センサー部
５ａ  レンズ
５ｂ  半導体位置検出器
６    センサー光照射手段
１０  観察者
１５  センサー光照射手段
【図１】
0003540599.tif 000002
【図２】
0003540599.tif 000003
【図３】
0003540599.tif 000004
【図４】
0003540599.tif 000005
【図５】
0003540599.tif 000006
【図６】
0003540599.tif 000007
【図７】
0003540599.tif 000008